(57)【要約】【課題】  既設の自動車座席を利用して安全ベルトを着用して、腰部脊椎管狭窄症の患者や障害者を着座させるに最適な姿勢を保持して搬送中の痛みを軽減できる腰痛障害者用自動車座席を提供するにある。【解決手段】  腰部脊椎管狭窄症の患者や障害者を着座させる腰痛障害者用自動車座席は、クッションの無い座面部２０と背面部３０を設けた。座面部２０と背面部３０との座席角度を９０度として設けた。該背面部３０一方の先端は既設の自動車座席の座面部９１に垂直に密接させ、該座面部２０は背面部３０に沿って必要な高さを調節出来るように設けた。背面部３０のもう一方の先端は身体の頚椎７と頭部を保護する座席枕４０を設けた。座面部２０に固定部２１と、背面部３０に固定部３１を設けた。該固定部２１、３１を用いて既設の自動車座席の座面部９１と背面部９２に固定した構成である。【選択図】    図１
2007061573.tif 000002
【特許請求の範囲】
【請求項１】
既設の自動車座席を利用して安全ベルトを着用して腰部脊椎管狭窄症の患者や障害者を搬送するに最適な姿勢を保持できて腰痛を軽減できる腰痛障害者用自動車座席において、該腰痛障害者用自動車座席（１００）は、クッションの無い座面部（２０）と背面部（３０）を設け、該座面部（２０）と該背面部（３０）との座席角度を９０度として設け、背面部（３０）の先端は既設の自動車座席の座面部（９１）に垂直に密接して、座面部（２０）の先端は既設の自動車座席の座面部（９１）に水平に当接して、水平を保持したもう一方の座面部（２０）は水平に高さ調節して背面部（３０）と螺子（７０）で固定して設け、背面部（３０）のもう一方は身体の頚椎（７）と頭部を保護する着脱自在の座席枕（４０）を設け、座面部（２０）に着脱自在の固定部（２１）と、背面部（３０）に着脱自在の固定部（３１）を設け、該着脱自在の固定部（２１、３１）を用いて既設の自動車座席の座面部（９１）と背面部（９２）に固定した構成であることを特徴とする腰痛障害者用自動車座席。
【請求項２】
腰痛障害者用自動車座席であって、前記記載の腰痛障害者用自動車座席（１００）は、クッションの無い座面部（２０）と背面部（３０）を設け、該座面部（２０）と背面部（３０）は、木材あるいは、プラスチックまたは、アルミニュウムあるいは鉄やチタン等の非鉄金属を加工して設けた構成であることを特徴とする請求項１記載の腰痛障害者用自動車座席。
【請求項３】
腰痛障害者用自動車座席であって、前記記載の腰痛障害者用自動車座席（１００）は、背面部（３０）に、座面部（２０）の高さ調節の出来る垂直の切れ目（７２）を設け、水平を保つ座面部（２０）の先端は既設の座面部（９１）に水平に当接して、水平を保つもう一方の座面部（２０）は背面部（３０）に水平に密接して固定できる螺子孔（７１）を設け、座面部（２０）の螺子孔（７１）の面と、背面部（３０）の垂直の切れ目（７２）の面を角度９０度に密接して設けた螺子（７０）で固定した構成であることを特徴とする請求項１と２記載の腰痛障害者用自動車座席。
【請求項４】
腰痛障害者用自動車座席であって、前記記載の腰痛障害者用自動車座席（１００）は、腰部脊椎管狭窄症の患者や障害者の痛みを和らげる必須の姿勢である前かがみ姿勢を取れるように踏板（５０）を設け、該踏板（５０）は腰痛障害者用自動車座席（１００）の両側から踏板（５０）を保持する保持具（５１）を設け、該保持具（５１）は、踏板（５０）を保持して上下に伸び縮みが出来るように設け、保持具（５１）の位置を固定する固定孔（５２）を設け、該固定孔（５２）は設けた螺子（５３）で固定できる構成であることを特徴とする請求項１から３記載の腰痛障害者用自動車座席。
【請求項５】
腰痛障害者用自動車座席であって、前記記載の腰痛障害者用自動車座席（１００）は、既設の自動車シートに腰痛障害者用自動車座席（１００）を固定するために座面部（２０）に着脱自在の固定部（２１）と、背面部３０に着脱自在の固定部（３１）を設け、該着脱自在の固定部（２１、３１）を用いて既設の自動車座席の座面部（９１）と背面部（９２）に固定し、座面部（２０）の固定部（２１）と、背面部（３０）の固定部（３１）は止め用具としてマジックテープ（６０）（登録商標）を設けた構成であることを特徴とする請求項１から４記載の腰痛障害者用自動車座席。
【発明の詳細な説明】
【技術分野】
【０００１】  本発明は、既設の自動車座席を利用して安全ベルトを着用して、腰部脊柱管狭窄症の患者や障害者を最適な姿勢に保持できて搬送中の痛みを軽減できる腰痛障害者用自動車座席に関する。
【背景技術】
【０００２】  腰部脊柱管狭窄とは、脊柱管の狭窄により馬尾や神経根が絞扼されて下肢に神経症状を呈する症候群である。脊柱管狭窄により馬尾や神経根が圧迫され動的因子が加わり神経組織に血行障害が生じて症状が発現する病態に変わりない。（例  非特許文献１参照  ）【０００３】  腰部脊柱管狭窄の状態は、腰椎や椎間関節の変形・肥厚ならびに軟部組織である椎間板の変形や膨隆、また靭帯の肥厚が発生し、これらが脊柱管内を狭くして馬尾神経、神経根および血行を圧迫あるいは締め付けることにより、坐骨神経痛や下肢痺れあるいは歩行障害を起こす。症状として馬尾型と、神経根型と、混合型の３型に分類されている。【０００４】  図８は、脊椎を示した図である。
背骨と呼ばれる脊椎は２４個の椎骨と呼ばれる小さな骨が繋がっている。２４個の椎骨は上から順に７個の椎骨からなる頚椎７と、１２個の椎骨からなる胸椎１２と、５個の椎骨からなる腰椎５と、１個に癒合してなる仙骨１と、３個から５個の椎骨が癒合してなる尾骨３と５つのブロックから出来ている。腰痛は、腰椎５と仙骨１周辺の馬尾神経や神経根が障害を受けると発生する。【０００５】  腰痛の仕組みは、運動神経を担当する前根と知覚を伝える後根が合流して神経根を形成して脊柱管から体内外部に出て受け持ちの範囲の体の末梢に分布している。これらの神経は脊髄を経由して、脳からの命令を筋肉に伝えたり、皮膚や間節からの痛みなどの感覚を脳に伝えている。脊髄は第一腰椎のあたりで終わっていて、そこから下は「馬尾神経」と呼ばれる馬の尾のように細かい神経が束状になっている。腰椎５と仙骨１周辺の馬尾神経や神経根が障害を受けると、下肢の痛みや麻痺をもたらす。ある神経がダメージを受けると、その受け持ち部位に痛みやしびれが生じ運動麻痺を呈する。腰部脊椎管狭窄症は、加齢現象等により背骨が変形し狭くなった脊柱管の中で神経が圧迫されて、神経に血行障害が発生して血液がうまく流れないために足腰がしびれ痛む神経を病む病気である。【０００６】  通院のため自動車で腰部脊柱管狭窄症の患者障害者を搬送するとき該患者障害者にクッションの良好な座布団を自動車の既設自動車座席に敷いて試みたが結果はさらに悪い。後部の座席に腰を曲げて身体を横たえ我慢する状態であった。また、病院で車椅子に座ると座れないほどの腰痛に苛まされる。【０００７】  腰痛防止用クッションは、クッション背部に摺動可能に取着した腰部用クッション５とを備え、クッション背部に背骨用クッション部と背部ずれ防止クッションを備える。クッション座部に股間用クッション部と太股用クッション部と座部ずれ防止くクッション部とを備え、柔軟性クッション層を内装させとある。クッションで腰部を囲った腰痛防止用クッションを提案されている。（例えば、特許文献１参照）【０００８】  自動車用シートは、人間がシートに座ってハンドル１１を握った状態で、人体の肩胛骨と当接する背面部の後方に空間部１４ａが形成されるとある。空間部１４ａを設けたことにより運転時の腰痛、肩こり等を軽減する自動車用シートを提案されている。（例えば、特許文献２参照）【０００９】  自動車用シートは、腰椎近傍の要所を適正に支持することができる自動車用シートを提案されている。（例えば、特許文献３参照）【００１０】
【特許文献１】  特開２００４−３２９８１２
【特許文献２】  特開２００１−２２４４６２
【特許文献３】  実公平７−２９８９９
【非特許文献１】  ［腰部脊椎管狭窄症の診断治療］  Ｊ  Ｎｉｐｐｏｎ  Ｍｅｄ  Ｓｃｈ  ２００２．６９（６）  −臨床医のために−  日本医科大学整形外科教室（ｐ５８３からｐ５８７）
【００１１】  以上に述べた従来の自動車座席は、健常者には効果はあっても腰部脊椎管狭窄症の患者や障害者が使用すると我慢の出来ない激痛に苛まされる。腰部脊椎管狭窄症の患者や障害者に最適な姿勢を保持できて搬送中の痛みを軽減できる自動車座席が要求された。腰部脊椎管狭窄症の患者や障害者が既設自動車の座席および既設の車椅子に座って腰痛に苛まされない条件があることを研究の結果突き止めた。
【発明の開示】
【発明が解決しようとする課題】
【００１２】  自動車の運転手席および助手用の座席は各メーカが腰痛防止に重点を置いて完成した座席が多い。既設の自動車座席等を利用して安全ベルトを着用して、腰部脊椎管狭窄症の患者や障害者を搬送する際に最適な姿勢を保持できて腰痛を軽減できる腰痛障害者用自動車座席を提供することを目的としている。【００１３】  本発明の前記並びにその他の目的と新規の特徴は、次の説明を添付図面と照らし合わせて読むならば、より完全であり、明瞭になるであろう。図面は専ら解説のためのものであって、本発明の技術的範疇を限定するものではない。
【課題を解決するための手段】
【００１４】  上記目的を達成するために、本発明では、既設の自動車座席を利用して安全ベルトを着用して腰部脊椎管狭窄症の患者や障害者を搬送するに最適な姿勢を保持できて腰痛を軽減できる腰痛障害者用自動車座席において、該腰痛障害者用自動車座席１００は、クッションの無い座面部２０と背面部３０を設けた。該座面部２０と該背面部３０との座席角度を９０度として設けた。背面部３０の先端は既設の自動車座席の座面部９１に垂直に密接した。座面部２０の先端は既設の自動車座席の座面部９１を水平に当接して、水平を保持したもう一方の座面部２０は水平に高さ調節して背面部３０と螺子７０で固定して設けた。
背面部３０のもう一方は身体の頚椎７と頭部を保護する着脱自在の座席枕４０を設けた。既設の自動車座席の形状により座席枕４０が不要なときは取り外す。座面部２０に着脱自在の固定部２１と、背面部３０に着脱自在の固定部３１を設けた。該着脱自在の固定部２１、３１を用いて既設の自動車座席の座面部９１と背面部９２に固定した構成の腰痛障害者用自動車座席である。【００１５】  また、請求項２記載の発明では、請求項１記載の腰痛障害者用自動車座席であって、前記記載の腰痛障害者用自動車座席１００は、クッションの無い座面部２０と背面部３０を設けた。該座面部２０と背面部３０は、木材あるいは、プラスチックまたは、アルミニュウムあるいは鉄やチタン等の非鉄金属を加工して設けた構成の腰痛障害者用自動車座席である。【００１６】  また、請求項３記載の発明では、請求項１記載の腰痛障害者用自動車座席であって、前記記載の腰痛障害者用自動車座席１００は、背面部３０に、座面部２０の高さ調節の出来る垂直の切れ目７２を設けた。水平を保つ座面部２０の先端は既設の座面部９１に水平に当接して、水平を保つもう一方の座面部２０は背面部３０に水平に密接して固定できる螺子孔７１を設けた。座面部２０の螺子孔７１の面と、背面部３０の垂直の切れ目７２の面を角度９０度に密接して設けた螺子７０で固定した構成の腰痛障害者用自動車座席である。【００１７】  また、請求項４記載の発明では、請求項１記載の腰痛障害者用自動車座席であって、前記記載の腰痛障害者用自動車座席１００は、腰部脊椎管狭窄症の患者や障害者の痛みを和らげる必須の姿勢である前かがみ姿勢を取ると血流がよくなり症状が楽になることを生かした踏板５０を設けた。該踏板５０は腰痛障害者用自動車座席１００の両側から踏板５０を保持する保持具５１を設けた。該保持具５１は、踏板５０を保持して上下に伸び縮みが出来るように設けた。保持具５１の位置を固定する固定孔５２を設けた。該固定孔５２は設けた螺子５３で固定できる構成の腰痛障害者用自動車座席である。【００１８】  また、請求項５記載の発明では、請求項１記載の腰痛障害者用自動車座席であって、前記記載の腰痛障害者用自動車座席１００は、既設の自動車座席に腰痛障害者用自動車座席１００を固定するために座面部２０に着脱自在の固定部２１と、背面部３０に着脱自在の固定部３１を設けた。該着脱自在の固定部２１、３１を用いて既設の自動車座席の座面部９１と背面部９２に固定した。座面部２０の固定部２１と、背面部３０の固定部３１は止め用具としてマジックテープ６０（登録商標）を設けた構成の腰痛障害者用自動車座席である。
【発明の効果】
【００１９】  本発明の効果は、以下の発明からあきらかなように、次に列挙する通りである。【００２０】  請求項１の発明では、本発明では、既設の自動車座席を利用して安全ベルトを着用して腰部脊椎管狭窄症の患者や障害者を搬送するに最適な姿勢を保持できて腰痛を軽減できる腰痛障害者用自動車座席において、該腰痛障害者用自動車座席は、クッションの無い座面部と背面部を設けた。該座面部と該背面部との座席角度を９０度として設けた。背面部の先端は既設の自動車座席の座面部に垂直に密接した。座面部の先端は既設の自動車座席の座面部を水平に当接して、水平を保持したもう一方の座面部は水平に高さ調節して背面部と螺子で固定して設けた。背面部のもう一方は身体の頚椎と頭部を保護する着脱自在の座席枕を設けた。既設の自動車座席の形状により座席枕が不要なときは取り外す。座面部に着脱自在の固定部と、背面部に着脱自在の固定部を設けた。該着脱自在の固定部を用いて既設の自動車座席の座面部と背面部に固定した構成の腰痛障害者用自動車座席であるので、腰部脊椎管狭窄症の患者や障害者が従来のクッションを用いた既設の自動車座席では解決できなかった事柄が既設の安全ベルトを通常に使用して、クッションの無い腰痛障害者用自動車座席であるので腰部脊椎管狭窄症の患者や障害者を着座させて搬送するに最適な姿勢を保持できて腰痛を軽減できるようになった。腰痛障害者用自動車座席の発明思想は自動車のみならず車椅子にも充分適用できる。【００２１】  また、請求項２記載の発明では、請求項１記載の腰痛障害者用自動車座席であって、前記記載の腰痛障害者用自動車座席の座面部と背面部を木材あるいは、プラスチック、またはアルミニュウムあるいは鉄やチタン等の非鉄金属を加工して設けた構成の腰痛障害者用自動車座席であるので、既設のクッションの良い自動車座席では解決できなかった事柄が、クッションの無い腰痛障害者用自動車座席を用いることで腰部脊椎管狭窄症の患者や障害者を搬送するに最適な姿勢を保持できて腰痛を軽減できるようになった。木製の座席の座りごこちは良好で、プラスチックの座席は木製の座席より座りごこちは劣る。また、アルミニュウムあるいは鉄やチタン等の座席の座りごこちは表面を覆う布等によってプラスチックスと同程度となる。プラスチックを原料とした座席は重量を軽く仕上げることができるので患者や介護者が携帯できるので便利である。【００２２】  また、請求項３記載の発明では、請求項１記載の腰痛障害者用自動車座席であって、前記記載の腰痛障害者用自動車座席は、背面部に、座面部の高さ調節の出来る垂直の切れ目を設けた。水平を保つ座面部の先端は既設の座面部に水平に当接して、水平を保つもう一方の座面部は背面部に水平に密接して固定できる螺子孔を設けた。座面部の螺子孔の面と、背面部の垂直の切れ目の面を角度９０度に密接して設けた螺子で固定した構成の腰痛障害者用自動車座席であるので、既設の自動車座席の座面部の傾斜の有無にかかわらず背面部の高さ調節を用いて座面部を水平に保つことが容易である。【００２３】  また、請求項４記載の発明では、請求項１記載の腰痛障害者用自動車座席であって、前記記載の腰痛障害者用自動車座席は、腰部脊椎管狭窄症の��者や障害者の痛みを和らげる必須の姿勢である前かがみ姿勢を取ると血流がよくなり症状が楽になることを生かした踏板を設けた。該踏板は腰痛障害者用自動車座席の両側から踏板を保持する保持具を設けた。
該保持具は、踏板を保持して上下に伸び縮みが出来るように設けた。保持具の位置を固定する固定孔を設けた。該固定孔は設けた螺子で固定できる構成の腰痛障害者用自動車座席であるので、腰部脊椎管狭窄症の患者や障害者が着座したとき、踏板を上下に移動して大腿部が膝に向かって水平な座面部より上方に傾斜が出来ることは、腰部脊椎管狭窄症の痛みを和らげる必須の姿勢である前かがみ姿勢を取ることになる。着座することで前かがみ姿勢を取ることになるので腰部脊椎管狭窄症の患者や障害者の血流がよくなり症状が快復して楽になる。【００２４】  また、請求項５記載の発明では、請求項１記載の腰痛障害者用自動車座席であって、前記記載の腰痛障害者用自動車座席と既設の自動車座席を固定するために座面部に固定部と、背面部に固定部を設けた。座面部の固定部と、背面部の固定部は止め用具としてマジックテープ（登録商標）を設けた構成の腰痛障害者用自動車座席であるので、既設の自動車座席に短時間で簡単に確実に装着し、簡単に確実に脱着すことが出来る。
【発明を実施するための最良の形態】
【００２５】  以下、図面に示す実施するための最良の形態により、本発明を詳細に説明する。
【実施例１】
【００２６】  図１〜図７に示す本発明の第１の実施するための最良の第１の形態において、図１は、本発明の腰痛障害者用自動車座席の側面を示した図である。
本発明では、既設の自動車座席を利用して安全ベルトを着用して、腰部脊椎管狭窄症の患者や障害者を搬送するに最適な姿勢を保持できて腰痛を軽減できる腰痛障害者用自動車座席において、該腰痛障害者用自動車座席１００は、クッションの無い座面部２０と背面部３０を設けた。該座面部２０と該背面部３０との座席角度を９０度として設けた。背面部３０の一方の先端は既設の自動車座席の座面部９１に垂直に密接させた。座面部２０を背面部３０に沿って必要な高さに調節出来るように設けた。既設の自動車座席の座面部９１に当接して、背面部３０に沿って座面部２０を水平に調節して設けた。背面部３０のもう一方の先端は身体の頚椎７と頭部を保護する着脱自在の座席枕４０を設けた。該座席枕４０は既設の自動車座席の形状により不要な場合は取り外す。座面部２０に固定部２１と、背面部３０に固定部３１を設けた。該固定部２１、３１を用いて既設の自動車座席の座面部９１と背面部９２に固定した構成の腰痛障害者用自動車座席である。【００２７】  図２は、図１の腰痛障害者用自動車座席の斜視図を示した図である。
本発明では、腰部脊椎管狭窄症の患者や障害者を搬送するに最適な姿勢を保持できて腰痛を軽減できる腰痛障害者用自動車座席であって、該腰痛障害者用自動車座席１００は、クッションの無い座面部２０と背面部３０を設けた。座面部２０と背面部３０の座席角度を９０度として設けた。該背面部３０の一方の先端は既設の自動車座席の座面部９１に垂直に密接した。該座面部２０は背面部３０に沿って必要な高さに調節出来るように設けた。既設の自動車座席の座面部９１に当接して、背面部３０に沿って座面部２０を水平に高さ調節して設けた。背面部３０のもう一方の先端は身体の頚椎７と頭部を保護する座席枕４０を設けた。該座席枕４０は既設の自動車座席の形状により不要な場合は取り外して使用する。【００２８】  該腰痛障害者用自動車座席１００は、クッションの無い座面部２０と背面部３０を木材あるいはプラスチック、またはアルミニュウムあるいは鉄を加工して設けた。アルミニュウムあるいは鉄やチタン等の非鉄金属を加工して設けた。金属製座席の座りごこちは表面を覆う布等によってプラスチックスと同程度となる。【００２９】  図３は、図２の腰痛障害者用自動車座席の固定部の斜視図を示した図である。
腰痛障害者用自動車座席であって、前記記載の腰痛障害者用自動車座席１００と既設の自動車座席を固定するために座面部２０に着脱自在の固定部２１と、背面部３０に着脱自在の固定部３１を設けた。着脱自在の固定部２１、３１の止め用具としてマジックテープ６０（登録商標）を設けた。該固定部２１、３１を用いて既設の自動車座席の座面部９１と背面部９２を固定する構成の腰痛障害者用自動車座席である。【００３０】  腰痛障害者用自動車座席であって、前記記載の腰痛障害者用自動車座席１００と既設の自動車座席を固定するために座面部２０の裏面に密着する固定部２２と、背面部３０の裏面部に密着する固定部３２を設けた。密着する固定部２２、３２は面状に止め用具としてマジックテープ６０（登録商標）を設けた。該固定部２２、３２密接するよう既設の自動車座席の座面部９１と背面部９２の表面にマジックテープ６０（登録商標）を面状に固着して設けた。既設の自動車座席の座面部９１と背面部９２の表面に設けたマジックテープ６０を使用しない場合は、座席の体裁を損なわないように、また、密着した固定部２２、３２が衣服に引っ掛けないよう面状カバーをマジックテープ６０を用いて設ける（図なし）。【００３１】  図４は、図１の腰痛障害者用自動車座席の足踏部の側面図を示した図である。
腰痛障害者用自動車座席であって、前記記載の腰痛障害者用自動車座席１００に踏板５０を設けた。該踏板５０は腰痛障害者用自動車座席１００の両側から踏板５０を保持する保持具５１を設けた。該保持具５１は、踏板５０を保持して上下に伸び縮みが出来るよう設けた。保持具５１の位置を固定する固定孔５２を設けた。該固定孔５２は設けた螺子５３で固定できる構成の腰痛障害者用自動車座席である。【００３２】  図５は、図２の腰痛障害者用自動車座席の足踏部の斜視図を示した図である。
腰痛障害者用自動車座席であって、前記記載の腰痛障害者用自動車座席１００に踏板５０を設けた。該踏板５０は腰痛障害者用自動車座席１００の座席部２０先端部分それは、膝を曲げる部分の両側から踏板５０を保持する保持具５１を設けた。該保持具５１は、踏板５０を保持して上下に伸び縮みが出来るように設けた。保持具５１の位置を固定する固定孔５２を設けた。該固定孔５２は設けた螺子５３で固定できる構成の腰痛障害者用自動車座席である。【００３３】  図６は、図５の腰痛障害者用自動車座席の足踏の一部を切り欠いだ斜視図を示した図である。
腰痛障害者用自動車座席１００の座席部２０の先端部分それは、膝を曲げる座面部２０の両側から踏板５０を保持する保持具５１を設けた。該保持具５１は、踏板５０を保持して上下に伸び縮みが出来るように設けた。保持具５１の位置を固定する固定孔５２を設けた。該固定孔５２は設けた螺子５３で固定できる構成の腰痛障害者用自動車座席である。【００３４】  図７は、図１の腰痛障害者用自動車座席の高さを調節の斜視図を示した図である。
上記記載の腰痛障害者用自動車座席１００の座面部２０は、水平に保つため背面部３０に沿って必要な高さを調節出来る。
座面部２０を水平に保つため背面部３０の垂直面との高さ調節が出来る垂直の切れ目７２を背面部３０に設けた。座面部２０に２箇所の螺子孔７１と、背面部３０に、座面部２０の螺子孔７１と同じ個所に螺子直径と同じ垂直の切れ目７２を設けた。座面部２０の螺子孔７１の面と、背面部３０の垂直の切れ目７２の面を角度９０度に密接して設けた螺子７０で固定した構成の腰痛障害者用自動車座席である。
【産業上の利用可能性】
【００３５】  本発明の腰痛障害者用自動車座席は、腰部脊椎管狭窄症の患者や障害者が使用する該腰痛障害者用自動車座席を製造販売する自動車産業はあるいは福祉機器産業において利用される。
【図面の簡単な説明】
【００３６】
【図１】  本発明の腰痛障害者用自動車座席の側面を示した図である。
【図２】  図１の腰痛障害者用自動車座席の斜視図を示した図である。
【図３】  図２の腰痛障害者用自動車座席の固定部の斜視図を示した図である。
【図４】  図１の腰痛障害者用自動車座席の足踏部の側面図を示した図である。
【図５】  図２の腰痛障害者用自動車座席の足踏部の斜視図を示した図である。
【図６】  図５の腰痛障害者用自動車座席の足踏部の一部を切り欠いだ斜視図を示した図である。
【図７】  図１の腰痛障害者用自動車座席の高さ調節の斜視図を示した図である。
【図８】  脊椎を示した図である。
【符号の説明】
【００３７】    １  仙骨
３  尾骨
５  腰椎
７  頚椎
１２  胸椎
２０、９１  座面部
２１、２２、３１、３２  固定部
３０、９２  背面部
４０、９３  座席枕
５０  踏板
５１  保持具
５２  固定孔
５３、７０  螺子
６０  マジックテープ（登録商標）
７１  螺子孔
７２  垂直な切れ目
１００  腰痛障害者用自動車座席
【図１】
2007061573.tif 000003
【図２】
2007061573.tif 000004
【図３】
2007061573.tif 000005
【図４】
2007061573.tif 000006
【図５】
2007061573.tif 000007
【図６】
2007061573.tif 000008
【図７】
2007061573.tif 000009
【図８】
2007061573.tif 000010